(57)【要約】【課題】従来の携帯端末の背面に設けられていた充電表示用ＬＥＤを削除し、コストを削減することが可能な携帯端末および携帯端末のバッテリー容量表示方法を提供する。また、利用者に対してバッテリーの状態をよりわかりやすく通知することが可能な携帯端末および携帯端末のバッテリー容量表示方法を提供する。【解決手段】端末駆動時には検出部１１がバッテリー１０の残量を検出する。ＣＰＵ１２はこの残量に応じてカラーパレット１４内の表示用データを書き換える。カラーパレット１４は表示用データを色データに変換してカラー液晶表示部１５へ出力し、前記色データに基づいた配色パターンをカラー液晶表示部１５がカラー表示する。同様にバッテリー充電時には検出部１１がバッテリー１０の充電電流を検出するとバッテリー１０の容量に基づいた配色パターンをカラー液晶表示部１５がカラー表示する。【選択図】    図１
2004357225.tif 000002
【特許請求の範囲】
【請求項１】
文字や画像を表示するカラー表示部を有する携帯端末において、
配色パターンとバッテリーの容量との対応関係を記憶する記憶手段と、
バッテリーの容量を検出する検出手段と、
前記検出手段が検出したバッテリーの容量に対応する配色パターンを前記記憶手段内の対応関係により選択し、前記カラー表示部へ出力する制御手段と、
を具備することを特徴とする携帯端末。
【請求項２】
前記カラー表示部は複数の表示部を備え、
前記制御手段は、何れかの表示部がオフ状態の場合に他の表示部に前記バッテリーの容量に対応する配色パターンを出力することを特徴とする請求項１に記載の携帯端末。
【請求項３】
前記カラー表示部に表示するデータを監視する監視手段を備え、
該監視手段が画像データの表示を検出する場合には、前記制御手段は前記カラー表示部に対してバッテリーの容量に対応する配色パターンの出力を停止することを特徴とする請求項１に記載の携帯端末。
【請求項４】
前記検出手段は、充電中のバッテリーの容量を検出し、前記制御手段は前記検出手段が検出した充電中のバッテリーの容量に対応する配色パターンを前記記憶手段内の対応関係により選択し、前記カラー表示部へ出力することを特徴とする請求項１に記載の携帯端末。
【請求項５】
前記検出手段は、バッテリーを充電している場合は充電電流に基づいてバッテリーの容量を検出することを特徴とする請求項４に記載の携帯端末。
【請求項６】
文字や画像を表示するカラー表示部を有する携帯端末において、
配色パターンとバッテリーの容量との対応関係を記憶する記憶手段と、
バッテリーの容量を検出する第一検出手段と、
充電されたバッテリーの容量を検出する第二検出手段と、
前記第一検出手段および第二検出手段が検出したバッテリーの総容量に対応する配色パターンを前記記憶手段内の対応関係により選択し、前記カラー表示部へ出力する制御手段と、
を具備することを特徴とする携帯端末。
【請求項７】
文字や画像を表示するカラー表示部を有する携帯端末のバッテリー容量表示方法において、
前記携帯端末のバッテリーの容量を検出し、
該検出したバッテリーの容量に対応する配色パターンを選択し、
該選択した配色パターンを前記カラー表示部へ出力し、
前記カラー表示部の配色を前記配色パターンで表示することを特徴とする携帯端末のバッテリー容量表示方法。
【請求項８】
複数の表示部を備える前記カラー表示部の何れかの表示部がオフ状態の場合に他の表示部に前記バッテリーの容量に対応する配色パターンを出力し、表示させることを特徴とする請求項７に記載の携帯端末のバッテリー容量表示方法。
【請求項９】
前記カラー表示部に表示するデータを監視し、前記カラー表示部に画像データを表示する場合には、前記カラー表示部に対してバッテリーの容量に対応する配色パターンの出力を停止することを特徴とする請求項７に記載の携帯端末のバッテリー容量表示方法。
【請求項１０】
充電中のバッテリーの容量を検出し、該検出した充電中のバッテリーの容量に対応する配色パターンを選択し、前記カラー表示手段へ出力することを特徴とする請求項７に記載の携帯端末のバッテリー容量表示方法。
【請求項１１】
前記バッテリーを充電している場合は充電電流に基づいてバッテリーの容量を検出することを特徴とする請求項１０に記載の携帯端末のバッテリー容量表示方法。
【請求項１２】
文字や画像を表示するカラー表示部を有する携帯端末のバッテリー容量表示方法において、
前記携帯端末のバッテリーの容量を検出し、
充電されたバッテリーの容量を検出し、
前記検出したバッテリーの容量と充電されたバッテリーの容量から総容量を算出し、
該総容量に対応する配色パターンを選択し、
該選択した配色パターンを前記カラー表示部へ出力し、
前記カラー表示部の配色を前記配色パターンで表示することを特徴とする携帯端末のバッテリー容量表示方法。
【発明の詳細な説明】
【０００１】
【発明の属する技術分野】
本発明は、表示面にカラー表示を行うカラー表示部を備えた携帯端末および携帯端末のバッテリー容量表示方法に関する。
【０００２】
【従来の技術】
最近のカラー液晶技術の進歩により、携帯端末に搭載される液晶表示パネルのカラー表示はより美しくなりつつある。その結果、携帯端末は液晶表示パネルを通して利用者に様々な情報を提供するとともに、液晶表示パネルの美しいカラー表示によって利用者を楽しませている。
【０００３】
一方、携帯端末の筐体には小型のＬＥＤが設けられ、これらのＬＥＤが点灯したり点滅したりすることにより、着信の通知、メール受信の通知、あるいはバッテリーの充電状態の通知が利用者に対して行われている。
【０００４】
前述したようなＬＥＤを使用する機能の一部を、表示パネルが具備することにより、携帯端末の機能性をより向上させるための技術が知られている。例えば、着信を感知した時に携帯端末の表示パネルの配色を一定時間毎に変化させることによって、暗い場所での着信時の確認を容易にする携帯電話機がある。また、従来の携帯端末においては、表示パネル上部のピクトと呼ばれる領域にバッテリー型のマークが表示され、バッテリーの駆動時における残量や充電時における充電量をマークの色あるいはマークの中に描かれたメーターなどが数段階変化することによって利用者に対する通知が行われていた。その他、特許文献１にはバッテリー残量に応じて変化する図形を表示部に表示する携帯端末が記載されている。
【０００５】
【特許文献１】
特開２００２−３１４６４９号公報
【０００６】
【発明が解決しようとする課題】
しかし、上述の携帯端末においては、表示パネルの配色を変化させて利用者への通知を行うのは着信時に限られていた。つまり、メールを受信した時やバッテリーの充電を行っている時などの着信時以外の時には従来と同じく端末の筐体に設けられたＬＥＤを点灯させることによって利用者への通知を行うに留まっている。そのため、上述の携帯端末は端末の筐体に必ずＬＥＤを設ける必要があり、コストがかかるという問題があった。
【０００７】
更に、従来のバッテリー残量表示部では、表示パネルは小さく、更に表示されるマークも小さいためユーザには見にくく、またマークによる数段階の変化だけではバッテリーの具体的な残量や充電量を利用者に通知するには不十分であるという問題があった。特に、携帯端末から少し離れている場合、例えば机上に置いている端末やカバンの中にある端末を離れた位置から見る時は、手に持って見ないと全く見えない時があった。更に充電中は常に机上で行われることが多く、上述と同様に見えないことがあった。
【０００８】
本発明は、上述した問題点に鑑みてなされたものであって、第１の目的はバッテリーの残量を表示パネルにカラー表示することにより、利用者に対してバッテリーの状態をよりわかりやすく通知することが可能な携帯端末および携帯端末のバッテリー容量表示方法を提供することにある。また、本発明の第２の目的は、バッテリーの充電を行っている際の充電状況を表示パネルにカラー表示することにより、従来の携帯端末の筐体に設けられていた充電表示用ＬＥＤを削除し、コストを削減することが可能な携帯端末および携帯端末のバッテリー容量表示方法を提供することにある。
【０００９】
【課題を解決するための手段】
本発明は上記の課題を解決するためになされたもので、請求項１に記載の発明は、文字や画像を表示するカラー表示部を有する携帯端末において、配色パターンとバッテリーの容量との対応関係を記憶する記憶手段と、バッテリーの容量を検出する検出手段と、前記検出手段が検出したバッテリーの容量に対応する配色パターンを前記記憶手段内の対応関係により選択し、前記カラー表示部へ出力する制御手段とを具備することを特徴とする携帯端末である。
【００１０】
請求項２に記載の発明は、請求項１に記載の携帯端末において、前記カラー表示部は複数の表示部を備え、前記制御手段は、何れかの表示部がオフ状態の場合に他の表示部に前記バッテリーの容量に対応する配色パターンを出力することを特徴とする。
【００１１】
請求項３に記載の発明は、請求項１に記載の携帯端末において、前記カラー表示部に表示するデータを監視する監視手段を備え、該監視手段が画像データの表示を検出する場合には、前記制御手段は前記カラー表示部に対してバッテリーの容量に対応する配色パターンの出力を停止することを特徴とする。
【００１２】
請求項４に記載の発明は、請求項１に記載の携帯端末において、前記検出手段は、充電中のバッテリーの容量を検出し、前記制御手段は前記検出手段が検出した充電中のバッテリーの容量に対応する配色パターンを前記記憶手段内の対応関係により選択し、前記カラー表示部へ出力することを特徴とする。
【００１３】
請求項５に記載の発明は、請求項４に記載の携帯端末において、前記検出手段は、バッテリーを充電している場合は充電電流に基づいてバッテリーの容量を検出することを特徴とする。
【００１４】
請求項６に記載の発明は、文字や画像を表示するカラー表示部を有する携帯端末において、配色パターンとバッテリーの容量との対応関係を記憶する記憶手段と、バッテリーの容量を検出する第一検出手段と、充電されたバッテリーの容量を検出する第二検出手段と、前記第一検出手段および第二検出手段が検出したバッテリーの総容量に対応する配色パターンを前記記憶手段内の対応関係により選択し、前記カラー表示部へ出力する制御手段とを具備することを特徴とする携帯端末である。
【００１５】
請求項７に記載の発明は、文字や画像を表示するカラー表示部を有する携帯端末のバッテリー容量表示方法において、前記携帯端末のバッテリーの容量を検出し、該検出したバッテリーの容量に対応する配色パターンを選択し、該選択した配色パターンを前記カラー表示部へ出力し、前記カラー表示部の配色を前記配色パターンで表示することを特徴とする携帯端末のバッテリー容量表示方法である。
【００１６】
請求項８に記載の発明は、請求項７に記載の携帯端末のバッテリー容量表示方法において、複数の表示部を備える前記カラー表示部の何れかの表示部がオフ状態の場合に他の表示部に前記バッテリーの容量に対応する配色パターンを出力し、表示させることを特徴とする。
【００１７】
請求項９に記載の発明は、請求項７に記載の携帯端末のバッテリー容量表示方法において、前記カラー表示部に表示するデータを監視し、前記カラー表示部に画像データを表示する場合には、前記カラー表示部に対してバッテリーの容量に対応する配色パターンの出力を停止することを特徴とする。
【００１８】
請求項１０に記載の発明は、請求項７に記載の携帯端末のバッテリー容量表示方法において、充電中のバッテリーの容量を検出し、該検出した充電中のバッテリーの容量に対応する配色パターンを選択し、前記カラー表示手段へ出力することを特徴とする。
【００１９】
請求項１１に記載の発明は、請求項１０に記載の携帯端末のバッテリー容量表示方法において、前記バッテリーを充電している場合は充電電流に基づいてバッテリーの容量を検出することを特徴とする。
【００２０】
請求項１２に記載の発明は、文字や画像を表示するカラー表示部を有する携帯端末のバッテリー容量表示方法において、前記携帯端末のバッテリーの容量を検出し、充電されたバッテリーの容量を検出し、前記検出したバッテリーの容量と充電されたバッテリーの容量から総容量を算出し、該総容量に対応する配色パターンを選択し、該選択した配色パターンを前記カラー表示部へ出力し、前記カラー表示部の配色を前記配色パターンで表示することを特徴とする携帯端末のバッテリー容量表示方法である。
【００２１】
【発明の実施の形態】
以下、図面を参照し、この発明の実施の形態について説明する。図１は、本発明の一実施の形態におけるカラー表示部を備えた携帯端末の構成を示すブロック図である。携帯端末２０は、端末駆動用のバッテリー１０、バッテリー１０の電圧値の検出、携帯端末が充電器に置かれた事の検出、および充電電流の検出を行う検出部１１、各部を制御するＣＰＵ（Ｃｅｎｔｒａｌ  ＰｒｏｃｅｓｓｉｎｇＵｎｉｔ）１２、配色パターンを表す表示用データを記憶する記憶部１３、表示用データを色データに変換するカラーパレット１４、色データに基づいたカラー表示を行うカラー液晶表示部１５を具備する。
【００２２】
次に、携帯端末２０が駆動中である場合に、バッテリー１０の残存容量に基づいた配色パターンによってカラー液晶表示部１５にカラー表示を行う際の動作を図６のフローチャートを用いて説明する。まず、利用者が端末の電源を投入する（ステップＳ１０）。次に、ＣＰＵ１２の指令を受けた検出部１１はバッテリー１０の現在の電圧値を検出し、ＣＰＵ１２へ出力する。ＣＰＵ１２はこの電圧値に対応する配色パターンを表す表示用データを記憶部１３内から選択し（ステップＳ１１）、選択した表示用データをカラーパレット１４に書き込む（ステップＳ１２）。カラーパレット１４は表示用データを色データに変換してカラー液晶表示部１５へ出力し、カラー液晶表示部１５は色データに基づいたパターンのカラー表示を行う（ステップＳ１３）。
【００２３】
次に検出部１１は所定の時間が経過するごとにバッテリー１０の電圧値を検出し、ＣＰＵ１２へ出力する（ステップＳ１４）。ＣＰＵ１２はこの電圧値に対応する表示用データを記憶部１３から読み出し、この表示用データが現在カラーパレット１４に書き込まれている表示用データと合致するかどうかの比較判定を行う（ステップＳ１５）。比較の結果、合致した場合にはステップＳ１４に戻る。合致しなかった場合には、ＣＰＵ１２はカラーパレット１４内の表示用データを書き換える（ステップＳ１６）。カラーパレット１４は表示用データを色データに変換してカラー液晶表示部１５へ出力し、カラー液晶表示部１５は色データに基づいたパターンのカラー表示を行う（ステップＳ１７）。以下、上述したステップＳ１４〜Ｓ１７が繰り返される。
【００２４】
図２は検出部１１で検出されるバッテリー１０の電圧とカラーパレット１４が出力する色データとの対応関係の例である。バッテリー１０の残存容量が多い場合には配色を緑の多い配色とし、残存容量が少ない場合には配色を赤の多い配色とする。配色パターンを切り替える境目においては、配色パターンが短時間で何度も切り替わるのを防ぐため、配色パターンの切り替えにヒステリシスを設けてもよい。
【００２５】
次に、携帯端末２０が充電中である場合に、バッテリー１０の充電状態に基づいた配色パターンによってカラー液晶表示部１５にカラー表示を行う際の動作を図７のフローチャートを用いて説明する。まず、携帯端末２０が充電器に接続された事を検出部１１が検出する（ステップＳ２０）。続いて接続された直後のバッテリー容量を検出する（ステップＳ２１）。
【００２６】
次に、前述したバッテリー１０の残存容量に基づいてカラー表示を行う場合と同様に、ＣＰＵ１２はバッテリー容量に対応する表示用データを記憶部１３から読み出し（ステップＳ２２）、この表示用データが現在カラーパレット１４に書き込まれている表示用データと合致するかどうかの比較判定を行う（ステップＳ２３）。比較の結果、合致した場合にはステップＳ２６に進む。合致しなかった場合には、ＣＰＵ１２はカラーパレット１４内の表示用データを書き換える（ステップＳ２４）。カラーパレット１４は表示用データを色データに変換してカラー液晶表示部１５へ出力し、カラー液晶表示部１５は色データに基づいたパターンのカラー表示を行う（ステップＳ２５）。
【００２７】
次に、所定時間毎に充電されたバッテリー容量を算出する（ステップＳ２６）。充電されたバッテリー容量の算出方法の例としては、下記の式で算出することができる。
（充電電流−消費電流）×経過時間                  （１）
ここで、消費電流とは端末内で消費される電流を示し、経過時間は充電を始めてから経過した時間を示す。また、充電中にバッテリーの電圧を検出し、所定の電圧（満充電近く）を検出した後からパルス充電に切り替える場合は、パルス充電時の経過時間を充電中のみに対応させることが好ましい。
次に、接続された直後のバッテリー残容量と前記充電されたバッテリー容量からバッテリーの総容量を算出する（ステップＳ２７）。そして、例えば後述する対応関係表に基づいてＣＰＵ１２はバッテリー総容量に対応する表示用データを記憶部１３から読み出し、該表示用データが現在のカラーパレット１４に書き込まれている表示用データと合致するか否かの比較判定を行い、比較の結果、合致しない場合はカラーパレット１４内の表示用データを書き換え、カラーパレット１４は表示用データを色データに変換してカラー液晶表示部１５へ出力し、カラー液晶表示部１５は色データに基づいたパターンのカラー表示を行う（ステップＳ２２〜Ｓ２５）。
【００２８】
図３は充電中に検出部１１で検出されるバッテリー１０のバッテリー容量とカラーパレット１４が出力する色データとの対応関係の例である。バッテリーのバッテリー容量が多い場合には配色を緑の多い配色とし、残存容量が少ない場合には配色を赤の多い配色とする。
【００２９】
次にこの発明の実施の形態において、端末が折畳式携帯端末である場合に端末の背面に表示パネルを設けた構成例を図４に示す。図において１は前面部カラー液晶表示部、２は背面部カラー液晶表示部である。この構成によれば、充電時に端末を折り畳んだ状態、つまり前面部カラー液晶表示部１がオフ状態であって、背面部カラー液晶表示部２がオン状態で充電器に置いたとしても背面部カラー液晶表示部２に充電状況がカラー表示されるため、利用者が充電の進捗を確認することが可能である。このように他にバッテリー容量を表示するＬＥＤ等が無い場合は、何れかの表示部にバッテリー容量を表示する必要がある。
【００３０】
なお、図２および図３で示した表示用データの設定はこの限りではない。また、図５に示すように表示パネルの背景の配色パターンを上述した動作例に従って変化させると共に、バッテリー容量を画面上の表示バーの長さで表し、具体的な数字と共に表示することによって利用者に具体的な充電状況を知らせてもよい。また、上述した実施の形態においては、充電中は充電電流からバッテリーの容量を算出する場合を示したが、バッテリー電圧を検出し、検出された電圧値に基づいて配色パターンを可変させてもよい。
【００３１】
また、本発明は表示部の配色を変更してバッテリー残容量を表示しているが、これにより、ユーザが表示部に画像を表示した場合に見苦しい画像になることがある。これを防止するために表示部に表示される表示データを監視し、画像データが表示されるときには配色パターンの出力を停止することが好ましい。
【００３２】
【発明の効果】
以上説明したように、この発明によれば、バッテリーの残量や充電時における充電量を表示パネルにカラー表示することにより、利用者に対してバッテリーの状態をよりわかりやすく通知することができるという効果が得られる。更に、充電表示用ＬＥＤを削除することができ、コストを削減することができるという効果が得られる。
【図面の簡単な説明】
【図１】この発明の一実施の形態における携帯端末の構成を示したブロック図である。
【図２】同実施の形態における端末駆動時のバッテリー電圧と配色パターンとの対応関係を示す表である。
【図３】同実施の形態におけるバッテリー充電時のバッテリー容量と配色パターンとの対応関係を示す表である。
【図４】同実施の形態における携帯端末の背面に表示パネルを設けた構成例を示す図である。
【図５】同実施の形態におけるバッテリー充電状況の表示例を示す図である。
【図６】同実施の形態における端末駆動時にカラー表示を行う場合のフローチャートである。
【図７】同実施の形態におけるバッテリー充電時にカラー表示を行う場合のフローチャートである。
【符号の説明】
１…前面部カラー液晶表示部、２…背面部カラー液晶表示部、１０…バッテリー、１１…検出部、１２…ＣＰＵ、１３…記憶部、１４…カラーパレット、１５…カラー液晶表示部、２０…携帯端末
【図１】
2004357225.tif 000003
【図２】
2004357225.tif 000004
【図３】
2004357225.tif 000005
【図４】
2004357225.tif 000006
【図５】
2004357225.tif 000007
【図６】
2004357225.tif 000008
【図７】
2004357225.tif 000009